(57)【要約】【課題】ストランド部材の本数のわりに断面積が小さい斜張ケーブルを組み立てる。【解決手段】斜張ケーブルは、傾斜したケーシング１と、このケーシング１に収容され、第１の固定領域１６ａと第２の固定領域１６ｂに個々に固定された実質的に平行なストランド部材４の群を有し、ストランド部材４に実質的に均一な値の張力をかけることによって設置される。斜張ケーブルの組立は、設置されたストランド部材４をケーシング５の、少なくとも一端において締め付けるステップと、他の群のストランド部材１を、締め付けられたストランド部材４によって利用可能に残された空間内でケーシング５の内側に沿って滑らせるステップと、他の群の各ストランド部材１を、第１の固定領域１６ａと第２の固定領域１６ｂの間に、設置された全てのストランド部材４の張力値が実質的に均一になるように張るステップとを複数回繰り返して実行する。【選択図】  図１
2004197556.tif 000002
【特許請求の範囲】
【請求項１】
傾斜したケーシングと、該ケーシングに収容され、第１の固定領域および第２の固定領域に個々に固定された実質的に平行な緊張補強材の束を有する斜張ケーブルを組み立てる方法であって、前記補強材を、Ｎを１以上の数としてＮ本の補強材からなる群毎に適所に設置し、前記補強材に実質的に均一な値の張力をかけることによって前記ケーシングおよび複数本の前記補強材を設置する、斜張ケーブルの組立方法において、
［ａ］設置された前記補強材を前記ケーシングの少なくとも一端において締め付けるステップと、
［ｂ］他の群の補強材を、締め付けられた前記補強材によって利用可能に残された空間内において前記ケーシングの内側に沿って滑らせるステップと、
［ｃ］前記他の群の各補強材を、設置された全ての前記補強材の張力値がほぼ均一になるように前記第１の固定領域と前記第２の固定領域の間に張るステップと、
［ｄ］前記補強材の設置が完了するまで、前記ステップ［ａ］から［ｃ］を繰り返すステップとを有することを特徴とする、斜張ケーブルの組立方法。
【請求項２】
前記ステップ［ｂ］を実行するために、前記第１の固定領域に向かって延び、引き上げウインチに接続された第１の線と、前記第２の固定領域に向かって延び、引き下げウインチに接続された第２の線が固定されたシャトルに前記他の群の各補強材を一時的に取り付ける、請求項１に記載の、斜張ケーブルの組立方法。
【請求項３】
前記引き上げウインチを作動させ、同時に、前記引き下げウインチを前記第２の線に反対方向に力を加えるように作動させることによって、前記他の群の補強材を前記ケーシングの内側に沿って滑らせる、請求項２に記載の、斜張ケーブルの組立方法。
【請求項４】
前記他の群を前記ケーシングを通って滑らせた後、前記引き下げウインチを作動させ、同時に、前記引き上げウインチを前記第１の線に反対方向に力を加えるように作動させることによって、前記シャトルを再び下へ戻す、請求項２に記載の、斜張ケーブルの組立方法。
【請求項５】
前記シャトルは、支持体と、該支持体の凹面に配置された、前記他の群の各補強材を一時的に取り付ける手段とを備えている、請求項２に記載の、斜張ケーブルの組立方法。
【請求項６】
前記シャトルに対して、前記ステップ［ａ］から［ｃ］の、少なくとも１回の第１の繰り返し中には第１の支持体を用い、前記第１の繰り返しに続く、前記ステップ［ａ］から［ｃ］の、少なくとも１回の第２の繰り返し中には、前記第１の支持体よりも小さい、少なくとも１つの第２の支持体を用いる、請求項５記載の斜張ケーブルの組立方法。
【請求項７】
前記各補強材は、中央ワイヤと、該中央ワイヤの周りに撚られた幾本かの周辺ワイヤを有するストランド部材からなり、前記ステップ［ｂ］を実行するために、前記他の群の各補強材の一端部において前記周囲ワイヤを切断し、該端部において、前記シャトルの、一時的に取り付ける前記手段に前記中央ワイヤを取り付ける、請求項５に記載の、斜張ケーブルの組立方法。
【請求項８】
前記シャトルは、前記ステップ［ａ］から［ｃ］の少なくとも幾回かの繰り返し時に、締め付けられた前記補強材から前記他の群の補強材を引き離す手段を含む、請求項２に記載の、斜張ケーブルの組立方法。
【請求項９】
前記補強部材を引き離す前記手段は、前記第１および第２の線に対して実質的に直角な軸の周りに回転するように前記シャトルに取り付けられた少なくとも１つのローラを備えている、請求項８に記載の、斜張ケーブルの組立方法。
【請求項１０】
前記ローラの１つが、前記ステップ［ｂ］の間に前記ケーシングを通る前記シャトルの走行方向に見て前記シャトルの前部に取り付けられている、請求項９に記載の、斜張ケーブルの組立方法。
【請求項１１】
設置された前記補強材を締め付ける前記ステップ［ａ］は、前記ケーシングの内径と同程度の直径を有する実質的に円形の全体形状の上部を有する断面形状のテンプレートに従って前記補強材を締め付けることを含む、請求項１に記載の、斜張ケーブルの組立方法。
【請求項１２】
前記テンプレートの断面が、前記ステップ［ａ］から［ｃ］の、少なくとも幾回かの繰り返し時に、平坦な全体形状の下部を有する、請求項１１に記載の、斜張ケーブルの組立方法。
【請求項１３】
前記テンプレートの断面が、前記ステップ［ａ］から［ｃ］の、少なくとも幾回かの繰り返し時に、凹状の全体形状の下部を有する、請求項１１に記載の、斜張ケーブルの組立方法。
【請求項１４】
前記ステップ［ａ］の時に、設置された前記補強材を前記ケーシングの両端において締め付ける、請求項１に記載の、斜張ケーブルの組立方法。
【発明の詳細な説明】
【技術分野】
【０００１】
本発明は、土木建築構造物の懸架機構の斜張ケーブルを構成する、ケーシング内のストランド部材のような緊張補強材の設置に関する。
【背景技術】
【０００２】
斜張式の懸架では、１つまたは複数の塔体が、塔体と構造物との間の傾斜経路に沿う一群の斜張ケーブルを介して、例えば橋床のような構造物を支持している。斜張ケーブルは、２つの端部固定点の間に張られた一群の補強材からなるケーブルであり、通常、ケーシングによって囲まれている。これらの補強材は、金属ストランド部材であることが多い。斜張橋の場合、各補強材は、塔体と、支持の一部を担う橋床に固定されている。
【０００３】
共同のジャッキよりもはるかに軽量で（特に塔体上での）取り扱いが容易な単独のストランド部材ジャッキを用いて、様々なストランド部材の張力を好都合に均一にすることができる、斜張ケーブルのストランド部材を張る方法が特許文献１に記載されている。この方法によれば、最初のストランド部材がコントロールストランド部材を構成するように張られる。後続の各ストランド部材は、その張力がコントロールストランド部材の張力と釣り合うまで、単独のストランド部材ジャッキを用いて張力をかけられる。この作業中に、新たなストランド部材の張力が大きくなるにつれて、既に固定されたストランド部材の張力が少し小さくなる。斜張ケーブルの種々のストランド部材に同一値の張力が徐々に加えられることがこの手順によって保障される。
【特許文献１】欧州特許第０４２１８６２号明細書
【特許文献２】欧州特許出願公開第０６５４５６２号明細書
【発明の開示】
【発明が解決しようとする課題】
【０００４】
使用される斜張ケーブルは大きな構造物では概して非常に長く、数百メートルの長さになることもあり、荷重に耐えるために多数の緊張補強部材（ストランド部材など）を設ける必要がある。
【０００５】
さらに、全長が非常に長い（５００メートルを超える）斜張式の構造物では、斜張ケーブルの束に加わる引っ張り荷重が、橋床での風の作用を越えて支配的になり、塔体のかなりの過剰設計につながる場合がある。この引っ張り荷重はケーシングの直径に比例し、したがって、小径のケーシングを備えた斜張ケーブル、すなわち、よりコンパクトな斜張ケーブルを設けるのが望ましい。
【０００６】
このため、斜張ケーブルの支持能力を大きくするために最大限にする必要がある、斜張ケーブルあたりのストランド部材の数と、空気力学的な理由から最小限にする必要がある斜張ケーブルの直径の間で微妙な妥協点を見出す必要がある。
【０００７】
ところで、通常、斜張ケーブルを適所に設置する時に、補強材を延ばすのに充分な空間をケーシング内に設ける必要がある。これは、大きな橋に用いられる斜張ケーブルは非常に重く、そのために、橋床上または事前製造エリアで予め製造した斜張ケーブルを所定の位置まで引っ張り上げることは考えられないためである。一般に、ケーシングは斜張ケーブルの傾斜経路に沿って適所に設置され、その後、ストランド部材が、ケーシングの内側に沿って滑動する、塔体に配置されたウインチによって駆動されるシャトルを用いて、１つずつまたは小さな群毎にそれらを所定の位置まで引っ張り上げて設置される。そして、最後のストランド部材（または最後の群）が引っ張り上げられる際、まだ、シャトルが通るのに充分な空間がケーシング内に必要である。したがって、この残りの空間を最小限に留めるのが、上記の妥協点を見出すために望ましいということが明らかである。
【０００８】
特許文献２では、ストランド部材の束に張力をかけた後にこのストランド部材の束の周りに組み立てられる幾つかのシェル部分からケーシングを作製して最小限の空間を残すことができるようにし、上記の問題点を回避している。しかしながら、斜張ケーブルの全体構成については、幾つかの部品からなるケーシングよりも単一部品として形成されたケーシングを設けるのが望ましいことは明らかであり、それによって、特に、環境による悪影響から補強材をより良好に保護することができる。
【０００９】
本発明の１つの目的は、上記の問題の充分な解決策を提供することにある。
【課題を解決するための手段】
【００１０】
本発明は、傾斜したケーシングと、ケーシングに収容され、第１および第２の固定領域に個々に固定された実質的に平行な緊張補強材の束とを有する斜張ケーブルを組み立てる方法でって、補強材を、Ｎを１以上の数としてＮ本の補強材からなる群毎に適所に設置する、斜張ケーブルの組立方法を提供する。ケーシングおよび複数本の補強材は、補強材にほぼ均一な値の張力をかけることによって設置される。そして、この方法は、
［ａ］設置された補強材をケーシングの少なくとも一端において締め付けるステップと、
［ｂ］他の群の補強材を、締め付けられた補強材によって利用可能に残された空間内においてケーシングの内側に沿って滑らせるステップと、
［ｃ］他の群の各補強材を、設置された全ての補強材の張力値が実質的に均一になるように第１の固定領域と第２の固定領域の間に張るステップと、
［ｄ］ステップ［ａ］から［ｃ］を補強材の設置が完了するまで繰り返すステップとを有している。
【００１１】
斜張ケーブルの補強材をこのように設置することによって、補強材をケーシング内に均一に配置することができる。同様の特性を有する複数の補強材に亘って均一な張力をかけることによって、補強材が平行な経路に沿うことが保障される。補強材をケーシングの一端または両端において締め付けることによって、補強材を、実質的にケーシングの全長にわたってコンパクトな形態に集合させることができ、このため、次の補強材の挿入に利用可能な空間を最大限にすることができる。したがって、最後の補強材の挿入を容易にする観点からケーシングの断面を大きくする必要性は、さほど高くない。本発明は、所定の本数の補強材についての断面が小さく、したがって風損が最小限になる斜張ケーブルの製造に非常に適している。
【００１２】
ステップ［ｂ］を実行するために、第１の固定領域に向かって延び、引き上げウインチに接続された第１の線と、第２の固定領域に向かって延び、引き下げウインチに接続された第２の線が固定されたシャトルに他の群の各補強材を一時的に取り付けるのが有利である。
【００１３】
引き上げウインチを作動させ、同時に、引き下げウインチを、第２の線に反対方向に力を加えるように作動させることによって、他の群の補強材をケーシングの内側に沿って滑らせるのが好ましい。そして、他の群の補強材を、ケーシングを通って滑らせた後、シャトルは、引き下げウインチを作動させ、同時に、引き上げウインチを、第１の線に反対方向に力を加えるように作動させることによって再び下へ戻すことができる。
【００１４】
このシャトルは、支持体と、支持体の凹面上に配置された、他の群の各補強材を一時的に取り付ける手段とを備えるのが好ましい。特定の一実施態様では、シャトルに対して、ステップ［ａ］から［ｃ］の、少なくとも１回の第１の繰り返し中には第１の支持体を用い、第１の繰り返しに続く、ステップ［ａ］から［ｃ］の、少なくとも１回の第２の繰り返し中には、第１の支持体よりも小さい少なくとも１つの第２の支持体を用いる。これによって、補強材が徐々に通されるにつれて、ケーシング内に利用可能に残される空間がますます狭くなるのを考慮することができる。
【００１５】
各補強材は、中央ワイヤと、この中央ワイヤの周りに撚られた複数本の周囲ワイヤを含むストランド部材からなっていてよい。この場合、ステップ［ｂ］を実行するために、他の群の各補強材の一端部において周囲ワイヤを切断し、この端部において、シャトルの、一時的に取り付ける手段に中央ワイヤを取り付けるのが有利である。
【００１６】
シャトルは、ステップ［ａ］から［ｃ］の少なくとも幾回かの繰り返し時に、締め付けられた補強材から他の群の補強材を引き離す手段を含んでいてもよく、この手段は、第１の線と第２の線に対して実質的に直角な軸の周りに回転するように取り付けられた少なくとも１つのローラを備えることができる。このローラは、利用可能な空間が狭くなった場合、シャトルおよび他の群の補強材が引き上げられる時に、摩擦による補強材の破損を防止するために、締め付けられた補強材を押圧する。ステップ［ｂ］の間にケーシングを通るシャトルの走行方向に見て特にシャトルの前部にローラを取り付けることができる。
【００１７】
設置された補強材を締め付けるステップ［ａ］は、ケーシングの内径と同程度の直径を有する実質的に円形の全体形状の上部を有する断面形状のテンプレートに従って補強材を締め付けることを含むのが有利である。テンプレートの断面は、ステップ［ａ］から［ｃ］の少なくとも幾回かの繰り返し中に、全体形状がほぼ平坦または凹状である下部を有するのが好ましい。
【００１８】
ステップ［ａ］において、設置された補強材はケーシングの両端において締め付けるのが有利である。
【発明を実施するための最良の形態】
【００１９】
本発明は、特に斜張橋の分野に応用される。ここでは、ケーシング５内に収容され、塔体２０と床２１の間に延びる斜張ケーブルを考える（図１）。問題としているこの斜張ケーブルは非常に長く、例えば１００メートルを越える長さであってよい。また、この斜張ケーブルは、１００本程度またはそれを越える多数の補強部材を含んでいてよい。
【００２０】
斜張ケーブルの補強材は、ケーシング５内に収容され、纏められて束になったストランド部材４である。各ストランド部材４は張られて、一方が塔体２０に位置し、他方が橋床２１に位置する固定領域１６ａ，１６ｂに両端を固定されている。固定領域１６ａ，１６ｂに配置された固定手段は、例えば、構造物を支え、各ストランド部材４の周りに留められた円錐台状のジョーを収容する円錐台状のオリフィスが形成された固定ブロックを備える従来型のものであってよい。
【００２１】
斜張ケーブルの組立方法の第１のステップにおいて、第１のストランド部材４または第１の組のストランド部材４が張られ、その両端が固定され、同時に、ケーシングが２つの固定領域１６ａ，１６ｂ間の傾斜経路に沿って適所に取り付けられる。ケーシング５は、そこから、既に適所に取り付けられた１つまたは複数のストランド部材４上に載せられる。この第１のステップの間に、後述するシャトル２と２本の線６ａ，６ｂを有する移動装置もケーシング５内に配置される。
【００２２】
ケーシング５の内部の空間が、ケーシング５内にストランド部材４を簡単に挿入するのに充分である限り、通常、第１のストランド部材４を設置するのに問題が生じることはない。これらのストランド部材４は、橋の床２１上に配置されたリール１７から、または、ストランド部材４が予め切断されている場合、ストランド部材４の貯蔵所から繰り出される。次に、これらのストランド部材４は、例えば、塔体２０に設置された引き上げウインチ１５ａを用いて、床２１から塔体２０に向かって引き上げられて、ケーシング５を通される。このフェーズの間、後述するものと同一のシャトル２を使用することができる。
【００２３】
既に設置されたストランド部材４がもつれるのを防ぐために、これらのストランド部材４は全長にわたって互いに平行に配置される。このために、各ストランド部材４は、２つの固定ブロック上の、各ストランド部材４に対応する位置に配置される。これは、固定領域１６ａ，１６ｂに配置された両方の固定ブロックにおいて、互いに対応する位置にある円錐台状の両オリフィスに対称に番号を付け、各端部において同一の番号の各オリフィスに各ストランド部材４を導入することによって達成することができる。
【００２４】
固定に先立って、ケーシング５に通された各ストランド部材４は、例えば特許文献１に記載された方法を用いて、既に緊張させられた様々なストランド部材４の張力の値が均一になるように張られる。ストランド部材４が同様に作製され、２つの固定ブロックにおいて幾何学的に互いに対応する両位置において固定されるので、これによって、様々なストランド部材４の経路が２つの固定領域１６ａ，１６ｂの間で実質的に平行にされる。
【００２５】
したがって、ケーシング５内でストランド部材４が占める空間は、ケーシング５の、アクセスするのが困難な中央部分を含めて、小さく保たれる。そして、ケーシング５が、設置されたストランド部材４を押圧するので、ケーシング５の断面の下部は、後続のストランド部材４を挿入するのに利用可能な状態に保たれる。
【００２６】
しかしながら、一定の期間の経過後、ケーシング５内において利用可能な空間がシャトル２の、塞がれていない通路用にもはや十分なではなくなるので、他のストランド部材４をケーシング５内に導入するのが困難になる。各固定ブロックでは、円錐台状のオリフィスを配置できるようにし、また同時に、固定ブロックに充分な強度を持たせるために、ストランド部材４間を一定距離離す必要がある。したがって、平行な経路に沿って既に取り付けられたストランド部材４は、ケーシング５内のかなりの空間を占め、このことが、後続のストランド部材４の挿入の妨げになる場合がある。
【００２７】
このような困難を回避するため、既に固定されたストランド部材４は締め付けられて経路に沿って束にされ、ケーシング５内に滑り込ませる他のストランド部材１またはストランド部材１の群が取り付けられたシャトル２（図１）が、ケーシング５の底部に残された利用可能な空間内に配置される。
【００２８】
他のストランド部材１またはストランド部材１の群を通している際、シャトル２は、塔体２０に配置された引き上げウインチ１５ａによって引っ張られる線６ａによって駆動される。対称的に、他の線６ｂがシャトル２に固定され、引き下げウインチ１５ｂへと下方に延びている。そして、引き下げウインチ１５ｂは、引き上げられた他のストランド部材１またはストランド部材１の群が取り外されると作動させられてシャトル２を下に戻す。
【００２９】
好適な実施形態では、引き上げウインチ１５ａによって他のストランド部材１が引き上げられている時、引き下げウインチ１５ｂも作動させられ、線６ｂとシャトル２に反対方向に力が加えられる。同様に、シャトル２が引き下げウインチ１５ｂによって戻されている時、引き上げウインチ１５ａも作動させられ、線６ａおよびシャトル２に反対方向に力が加えられる。これらのステップによって、シャトル２がケーシング５の底部においてこれに沿って移動している時、シャトル２と線６ａ，６ｂの組立体に常に張力がかけられることになり、これによって、この組立体がケーシング５に沿った一定の経路をたどることが保障され、また、この組立体がストランド部材４に絡むおそれが最小限に抑えられる。
【００３０】
既に取り付けられたストランド部材４の締め付けは、締め付け機構３によってケーシング５の少なくとも一端において行なわれる。ストランド部材４が張られる条件が同一であることによって、この局所的な締め付けが斜張ケーブルの全長に沿って伝搬され、これによって、シャトル２を走行させるのに利用可能な空間が最大限にされる。この作用を高めるために、締め付け機構３を図１に示されているようにケーシング５の各端部に設けるのが得策である。
【００３１】
図２Ａに示されているように、締め付け機構３は、既に取り付けられた補強材４を、断面の上部が全体としてほぼ円形であり、この円形の直径がケーシング５の内径と等しいか、またはほぼ等しいテンプレートに従うように締め付けるのが有利である。次に、ケーシング５が、締め付けられたストランド部材４の束上に載り、空間が上部において最小限になるように除かれ、したがって、シャトル２が容易に走行可能になるように、最大限の空間がケーシング５の下部に空けられる。
【００３２】
図２Ａと図２Ｂの断面図に示されている、本発明の実施形態において、締め付け機構３は、ストランド部材４の束を、くさび状部材１０を介在させて囲むストラップ１１を備えている。このくさび状部材１０によって、締め付けテンプレートの断面の下部が形成されている。
【００３３】
くさび状部材１０の形状は幾つか考えられる。図３Ａは、この様なくさび状部材１０の代表的な一実施例を示している。このくさび状部材１０は、締め付けられるストランド部材４に直接接触するように配置された上部１２ａと、ストラップ１１を受け止める下部１３を有している。
【００３４】
図３Ａにおいて、くさび状部材１０の上部１２ａは平坦であり、これによって、締め付けテンプレートの断面の下部が平坦な全体形状を有することになる。この上部１２ａは、ストランド部材４に接触してストランド部材４を締め付け時に損傷させるのを回避するために、エラストマー材料から構成されるのが好ましい。種々の形状を有していてよい、くさび状部１０の下部１３は木材などの硬質材料から構成されている。
【００３５】
図３Ｂに示す他の形状では、くさび状部材１０の、エラストマー製の上部１２ｂは凸状であり、これによって、締め付けテンプレートの断面の下部が凹状になる。
【００３６】
もちろん、他の締め付け機構３を使用してもよい。ストランド部材４同士の密集度、および、このようにして形成された束によってケーシング５内に利用可能に残される空間の大きさは、締め付け機構３の有効性を反映する。
【００３７】
例えば、図５に図示されているような機械式の締め付け機構３を用いてもよい。この締め付け機構３は剛性のシャーシ２４と、締め付けるストランド部材４を囲む上部２７からなっている。また、機械式のこの締め付け機構３は、その上部２７に固定された油圧式のジャッキ２２を備えている。このジャッキ２２は、ストランド部材４の周りで締め付け機構３を開閉させるように、シャーシ２４を、シャーシ２４に結合された回転軸２３の周りに駆動する。この締め付け機構３は、ストランド部材１を通すサイクルにおいて時間を無駄にするのを回避するために、迅速に開閉できるように構成するのが有利である。
【００３８】
図６は、図５の機械式の締め付け機構３用の開閉機構の一例を示している。歯２６が機械式の締め付け機構３の上部２７に固定されている。他の２つの歯２５がシャーシ２４に固定されている。これらの歯２５は、開閉機構が閉じた時に歯２６の両側方に位置するように構成されている。この有利な構成によって、機械式の締め付け機構３が閉位置にある時にストランド部材４が機械式の締め付け機構３から離脱するのを回避することができる。
【００３９】
このように、既に取り付けられたストランド部材４を締め付けることによって、他のストランド部材１を支持するシャトル２が通ることができるように、ケーシング内に空間を空けることができる。したがって、ストランド部材１の設置では、締め付けている間ケーシング５内に利用可能に残される空間、すなわちケーシング５の底部にシャトル２を配置し、その後、引き上げウインチ１５ａを駆動して、シャトル２を、線６ａを用いてケーシング５に沿って引っ張る。
【００４０】
シャトル２がケーシング５の他端に到達すると、他のストランド部材１を固定領域１６ａに固定することができるように、他のストランド部材１はシャトル２から取り外され、固定されたストランド部材４は、締め付け機構３を取り除くことによって締め付けを解除される。他のストランド部材１が予め製造されておらず、すなわち、予め切断されていない場合には、ストランド部材１は、リール１７から分離するために床２１の高さで切断され、固定領域１６ｂの固定ブロックに供給される。この他のストランド部材１は、先のストランド部材４と同様に張られて固定される。特に、固定後、例えば特許文献１に記載された方法を用いて、このストランド部材１と既に取り付けられたストランド部材４の張力値を同一にすることができる。
【００４１】
締め付けテンプレートは、他のストランド部材１が設置されるにつれて次第に太くなり、このために、シャトル２の通路に利用可能な空間が徐々に減少する。寸法の異なる交換可能な幾つかのシャトル２を供給し、始めは最大の（利用可能な空間が比較的大きい時に、ケーシング５を通る経路が比較的安定する）シャトル２を用い、最後のストランド部材１は、より小さいシャトル２を用いて引っ張ることができる。
【００４２】
また、他のストランド部材１を設置する際に、異なる締め付け機構３を用いることも可能である。例えば、始めは、基部が平坦である締め付けテンプレートを形成する、図３Ａに示されているような種類のくさび状部１０を用い、続いて、基部が凹状である締め付けテンプレートを形成する、図３Ｂに示されているような種類のくさび状部１０を用いることができる。
【００４３】
他のストランド部材１を設置する際、完全に最後のストランド部材４の設置まで、同一の操作を繰り返すことができる。ストランド部材４は、ケーシング４の頂部の位置から始め、下方の位置を占めるストランド部材４の方へ徐々に下がって連続的に層を形成するように設置するのが好ましい。
【００４４】
さらに、シャトル２は、その断面寸法が最小となる構造を有するのが有利である。図４Ａおよび図４Ｂに示されたシャトル２は、遠方に行き戻ってくる時にケーシング５の底部に載せることができる支持体１４を備えている。この支持体１４は、板状の金属から形成され、半円筒状の形状を有しているのが有利である。
【００４５】
既に取り付けられたストランド部材４の束がシャトル２の、ケーシング５内での進行の妨げにならない限り、この支持体を使用することができ、一方、空いたままになった空間が、既に取り付けられたストランド部材４によって、シャトル２が支持体１４によって妨げられることなく進行することができないほど余裕が無くなった時に取り外すことができるように、シャトル２の支持体１４は取り外し可能であるのが好ましい。また、小さな寸法の、取り外し可能な幾つかの支持体１４を用いることも考えられる。
【００４６】
シャトル２は、引き上げる他のストランド部材１の端部を収容するようになった支持台７を備えている。そして、適所に固定すべき他のストランド部材１をシャトル２の支持台７内に配置することができ、また、一時的に取り付ける手段を用いてこのストランド部材１を支持台７に固定することができる。これらの手段（図４Ａおよび図４Ｂでは図示していない）は、橋の建設に携わる作業者が、ストランド部材１を固定領域１６ａに供給するためにストランド部材１をシャトル２から迅速に取り外すことができるように容易に取り外すことができる。
【００４７】
ストランド部材１は、通常、中央ワイヤと、この中央ワイヤの周りに撚られた６本の周囲ワイヤを有している。このストランド部材１をシャトル２の支持台７に取り付けるのに、１つの可能な方法は、図４Ａに模式的に示されているようにストランド部材１の端部１ａにおいて６本の周囲ワイヤを切断し、支持台７に収容された小型の固定具（不図示）、例えば円錐台状のジョーにこの中央ワイヤを留める方法である。この構成によって、支持台７およびシャトル２全体の断面積を最小限にすることができる。
【００４８】
幾つかのストランド部材１を一方の固定領域１６ａ，１６ｂから他方に同時に引っ張ることができることが分かる。Ｎ本のストランド部材１（Ｎ≧１）の群の場合、各々が、この群のＮ本のストランド部材１のうちの１本を保持できるように、Ｎ個の支持台７がシャトル２に設けられる。図４Ａおよび図４Ｂには、例として、２つの支持台７が図示されている。ストランド部材１が徐々に設置されるにつれて、個数Ｎを変化させることができ、特に、設置の終わりには、シャトル２の寸法を小さくするために個数Ｎを減らすことができる。
【００４９】
また、シャトル２は、任意のものであってよい、線６ａ，６ｂを取り付ける手段８を備えている。例えば、線６ａ，６ｂの各々の端部は、手段８としてねじを用いて、支持体１４に結合された、支持台７が取り付けられている基部１９に固定することができる。
【００５０】
シャトル２は、固定され、締め付けられたストランド部材４から、他のストランド部材１を引き離す手段を備えるのが有利である。図示された実施形態において、これらの手段は、支持体１４または基部１９に取り付けられ、線６ａ，６ｂに直角な軸Ａの周りに回転するようにシャトル２に取り付けられた２つのローラ９を備えている。これらのローラ９は、ストランド部材１，４およびまたは線６ａ，６ｂが絡み合うのを防止し、また移動しているシャトル２が、既に適所にあるストランド部材４と擦れ合ってストランド部材１，４が損傷する危険性を回避するために、支持体１４、線６ａ，６ｂ、および他のストランド部材１との間に配置されている。ローラ９をシャトル２に１つだけ設けることもでき、この場合、ケーシング５内での引き上げ時のシャトル２の走行方向に見てシャトルの前部に設けるのが好ましい。
【図面の簡単な説明】
【００５１】
【図１】斜張橋における、本発明の方法を示す概略図である。
【図２Ａ】本発明の一実施形態において使用可能な一例の締め付け手段を示す図である。
【図２Ｂ】図２Ａの締め付け手段の断面図である。
【図３Ａ】図２Ａの締め付け手段において使用可能な一例のくさび状部を示す図である。
【図３Ｂ】図２Ａの締め付け手段において使用可能な他の例のくさび状部を示す図である。
【図４Ａ】本発明の一実施形態において使用されるシャトルの平面図である。
【図４Ｂ】本発明の一実施形態において使用されるシャトルの端面図である。
【図５】本発明の一実施形態において使用可能な他の例の締め付け手段を示す図である。
【図６】図５の締め付け手段用の開閉機構の図である。
【符号の説明】
【００５２】
１，４    ストランド部材
１ａ    端部
２    シャトル
３    締め付け機構
５    ケーシング
６，６ａ，６ｂ    線
７    支持台
９    ローラ
１０    くさび状部材
１１    ストラップ
１２ａ    上部
１３    下部
１４    支持体
１５ａ    引き上げウインチ
１５ｂ    引き下げウインチ
１６ａ，１６ｂ    固定領域
２０    塔体
２１    床
２２    ジャッキ
２３    回転軸
２４    シャーシ
２５，２６    歯
２７    上部
【図１】
2004197556.tif 000003
【図２Ａ】
2004197556.tif 000004
【図２Ｂ】
2004197556.tif 000005
【図３Ａ】
2004197556.tif 000006
【図３Ｂ】
2004197556.tif 000007
【図４Ａ】
2004197556.tif 000008
【図４Ｂ】
2004197556.tif 000009
【図５】
2004197556.tif 000010
【図６】
2004197556.tif 000011